(57)【要約】【課題】スペースの確保し、かつ熱の影響を低減すること。【解決手段】画像形成装置１００において、ＰＣＩ−Ｅｘｐｒｅｓｓを介して互いに接続可能なエンジンボード１０およびコントローラボード３０と、画像形成処理を行う画像形成部と、画像形成部を覆う筐体と、筐体の底面と垂直な面である複数の側面のうちいずれかの面に筐体の底面と垂直な方向に設けられ、エンジンボード１０およびコントローラボード３０を筐体の内部へ案内する外部スロット１０６、１０７と、を備え、エンジンボード１０とコントローラボード３０は、互いに平行な状態で接続されている。【選択図】図１
2009134265.tif 000002
【特許請求の範囲】
【請求項１】
高速バスを介して互いに接続可能な複数の制御基板と、
画像形成処理を行う画像形成部と、
前記画像形成部を覆う筐体と、
前記筐体の底面と垂直な面である複数の側面のうちいずれかの面に前記筐体の底面と垂直な方向に設けられ、前記複数の制御基板を前記筐体の内部へ案内する差し込み口と、を備え、
前記複数の制御基板は、互いに平行な状態で接続されていることを特徴とする画像形成装置。
【請求項２】
前記複数の制御基板は、画像形成部を制御するエンジンボードと、画像形成処理を制御するコントローラボードとを含むことを特徴とする請求項１に記載の画像形成装置。
【請求項３】
前記エンジンボードと前記コントローラボードとは、前記筐体の底面と垂直な方向に立設された中継ボードを介して接続されることを特徴とする請求項２記載の画像形成装置。
【請求項４】
前記中継ボードは、電力供給を行う電源部を備え、
前記複数の制御基板は、前記電源部から分配された電力の供給を受けけることを特徴とする請求項３に記載の画像形成装置。
【請求項５】
前記複数の制御基板は、汎用の基板接続用コネクタを備え、
前記複数の制御基板は、前記基板接続用コネクタにより接続されることを特徴とする請求項１に記載の画像形成装置。
【請求項６】
前記高速バスにおける電気的接続がされているか否かの認証を行う認証部をさらに備え、
前記認証部は、前記コントローラボードの認証を行うことを特徴とする請求項２に記載の画像形成装置。
【請求項７】
前記高速バスにおける電気的接続がされているか否かの認証を行う認証部をさらに備え、
前記認証部は、エンジンボードの認証を行うことを特徴とする請求項２に記載の画像形成装置。
【請求項８】
前記高速バスは、ＰＣＩ−Ｅｘｐｒｅｓｓ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）バスであることを特徴とする請求項１に記載の画像形成装置。
【発明の詳細な説明】
【技術分野】
【０００１】
本発明は、複数の制御基板をシリアル高速バスを介して互いに接続可能な画像形成装置に関する。
【背景技術】
【０００２】
従来から、コンピュータには拡張カードを接続するための「拡張スロット」と呼ばれる差し込み口があり、ここにアドインカード（機能拡張カード）を装着して使用している。アドインカードには、例えば、ネットワークカードや３次元グラフィックスを高速に描画可能とするビデオカードなど、所定のプログラムを備えたものがあり、該アドインカードは拡張スロットに差し込まれることによって接続され、コンピュータの機能を拡張させることができる。
【０００３】
なお、拡張スロットに用いられるデータ伝送方式には、「ＰＣＩ（Ｐｅｒｉｐｈｅｒａｌ  Ｃｏｍｐｏｎｅｎｔ  Ｉｎｔｅｒｃｏｎｎｅｃｔ）バス」「ＩＳＡ（Ｉｎｄｕｓｔｒｉａｌ  Ｓｔａｎｄａｒｄ  Ａｒｃｈｉｔｅｃｔｕｒｅ）バス」「ＡＧＰ（Ａｃｃｅｌｅｒａｔｅｄ  Ｇｒａｐｈｉｃｓ  Ｐｏｒｔ）バス」など、種々な種類がある。
【０００４】
ＰＣＩバスは、インテル社が１９９２年に提唱した３２ビットインターフェースであり、コンピュータ用のアーキテクチャの１つであって、該ＰＣＩバスによりモデムカードやビデオカードなど種々のデバイスに使用されている。
【０００５】
例えば、特許文献１では、ＰＣＩコネクタを該ＰＣＩボードに実装する際に、交換可能なＰＣＩ用ブラケットをＰＣＩボードに備えることにより、ＰＣＩボードの拡張性を向上させる技術が開示されている。
【０００６】
また、特許文献２では、マザーボードのＰＣＩ用コネクタに接続されるＰＣＩボードにおいて、第１のコネクタ端子部を該ＰＣＩボードの一端縁に形成し、第２のコネクタ端子部を該ＰＣＩボード上の所定の位置に形成することで、ＰＣＩボードの配置位置の自由度を向上させる技術が開示されている。
【０００７】
そして近年では、３次元グラフィックスや動画などの大容量データを、高画質かつ高速に転送するため、新たに次世代のバスとしてシリアル高速バスである「ＰＣＩ−Ｅｘｐｒｅｓｓ」（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）が規格化されている。
【０００８】
このＰＣＩ−Ｅｘｐｒｅｓｓバスでは、複数のレーン（伝送路）を束ねることによってシリアル信号で高速なデータ転送が可能であり、片方向で２．５Ｇｂｐｓ、双方向で５．０Ｇｂｐｓの全二重通信を行うことができる。
【０００９】
例えば、下記特許文献３では、複数のメモリコントローラ機能を備えるシステム構成において、ＰＣＩ−Ｅｘｐｒｅｓｓバスをより有効に活用するため、各ＰＣＩ−Ｅｘｐｒｅｓｓバスのレーン数をデータ転送経路が扱う画像データのサイズに応じて設定する技術が開示されている。
【００１０】
【特許文献１】特開２００２−３６６２５７号公報
【特許文献２】特開２００４−２７２６４６号公報
【特許文献３】特開２００５−２１０６５３号公報
【発明の開示】
【発明が解決しようとする課題】
【００１１】
ところで、「ＰＣＩ−Ｅｘｐｒｅｓｓ」の規格は、本来、ＰＣ（Ｐｅｒｓｏｎａｌ  Ｃｏｍｐｕｔｅｒ）用途をメインとした規格であるため、アドインカード型に機能拡張を受け付ける構成であり、制御基板を「垂直に」実装することを前提としている。
【００１２】
そこで、画像形成装置において複数の制御基板をＰＣＩ−Ｅｘｐｒｅｓｓバスを介して互いに接続可能な構成を採用すると、画像形成装置では、アドインカードに相当するコントローラボードを、エンジンボードに対して垂直に実装することが必要となる。このため、エンジンボードを画像形成装置の筐体底面に平行に実装し、コントローラボードをこれと垂直に実装するため、画像形成装置の上面から（または下面から）、コントローラボードを挿入する必要がある。
【００１３】
しかしながら、画像形成装置において、複数の制御基板（エンジンボード、コントローラボード）を互いに垂直に実装させる場合、画像形成装置特有の以下に掲げる理由により、制御基板の配置が困難となる問題が発生する。
（１）画像形成装置では、エンジンが本体の大部分を占有しているため、制御基板同士を互いに垂直に実装するために必要なスペースの確保が困難となる。
（２）画像形成装置では、紙詰まりした紙を排除するスペースの確保が優先されるため、制御基板同士を互いに垂直に実装するために必要なスペースの確保が困難となる。
（３）画像形成装置の筐体の上面では、通常スキャナ部が上面部に設置されるため、制御基盤を上面側から挿入するスペースを確保することが困難である。
（４）画像形成装置では、排紙、給紙のスペースが必要であるため、制御基板同士を互いに垂直に実装するために必要なスペースの確保が困難となる。
（５）画像形成装置では、制御基板を互いに垂直に実装させると、定着ローラからの熱による影響を受けやすくなる。
【００１４】
なお、ノートＰＣの分野では、筐体底面に対して垂直方向での実装を回避できるよう、側面側（画像形成装置の筐体と垂直な面）から装着可能なカードエッジを備えた「Ｍｉｎｉ  ＰＣＩ−Ｅｘｐｒｅｓｓ」も実用化されているが、チャンネルが１レーンのみ限定的な仕様であるため、画像形成装置には適用しにくいという問題がある。
【００１５】
また、ＰＣＩ−Ｅｘｐｒｅｓｓバスを介して制御基板が接続可能な画像形成装置では、品質保証に必要な波形タイミングの検出器として、超高速シリアル伝送に対応した専用計測器が必要であり、当該専用計測器はＰＣ用途に準拠した仕様となっているため、画像形成装置に適合した電気的接続の認証を行うことが難しいという問題がある。
【００１６】
本発明は、上記に鑑みてなされたものであって、複数の制御基板を実装する場合に、複数の制御基板の互いに垂直な実装を回避して、スペースの確保し、かつ熱の影響を低減することができる画像形成装置を提供することを主な目的とする。
【課題を解決するための手段】
【００１７】
上述した課題を解決し、目的を達成するために、本発明は、高速バスを介して互いに接続可能な複数の制御基板と、画像形成処理を行う画像形成部と、前記画像形成部を覆う筐体と、前記筐体の底面と垂直な面である複数の側面のうちいずれかの面に前記筐体の底面と垂直な方向に設けられ、前記複数の制御基板を前記筐体の内部へ案内する差し込み口と、を備え、前記複数の制御基板は、互いに平行な状態で接続されていることを特徴とする。
【発明の効果】
【００１８】
本発明によれば、複数の制御基板の互いに垂直な実装を回避しているので、スペースの確保を実現することができるとともに、熱の影響を低減することができる。
【発明を実施するための最良の形態】
【００１９】
以下に添付図面を参照して、この発明にかかる画像形成装置の最良な実施の形態を詳細に説明する。
【００２０】
（第１の実施の形態）
図１は、第１の実施の形態の画像形成装置１００の正面図である。本実施の形態の画像形成装置１００は、図１に示すように、操作部１０１と、本体部１０２と、給紙部１０３と、排紙部１０４とを主に備えている。
【００２１】
そして、本体部１０２に制御基板としてのコントローラボード３０とエンジンボード１０、および主電源部１０５が実装されている。コントローラボード３０は、画像形成処理を制御するための制御基板である。エンジンボード１０は、プリンタエンジンおよびスキャナエンジン（共に図示せず）を制御したり、スキャナエンジンから画像データを取得するするための制御基板である。コントローラボード３０とエンジンボード１０は、主電源部１０５から電力供給される。
【００２２】
図２は、第１の実施の形態の画像形成装置１００の斜視図である。図２に示すように、エンジンボード１０とコントローラボード３０は、互いに平行に本体部１０２に実装されている。コントローラボード３０は、画像形成装置１００の筐体側面側の外部スロット１０６から挿入して本体部１０２に実装されるようになっている。エンジンボード１０は、上記筐体側面と反対の側面側の外部スロット１０７から挿入して本体部１０２に実装されるようになっている。
【００２３】
差し込み口としての外部スロット１０６、１０７は、図２に示すように、筐体の底面と垂直な面である側面に設けられており、それぞれコントローラボード３０、エンジンボード１０と筐体内部へと案内する。
【００２４】
図３は、第１の実施形態における画像形成装置１００内の制御基板の状態を示した図である。図３に示すように、ＰＣＩ−Ｅｘｐｒｅｓｓバスで制御基板が接続可能な画像形成装置では、各制御基板（エンジンボード１０およびコントローラボード３０）、中継ボード２０、および電源部４０で構成されている。なお、以下説明する図面は、画像形成装置１００内を底面（接地面）に対して上から俯瞰した図面であり、各制御基板は、画像形成装置１００の底面と垂直な状態で配置されているものとする。
【００２５】
エンジンボード１０は、画像形成装置１００の側面側にある外部スロット１０７からユーザによって挿入されることにより、中継ボード２０と電気的に接続される。エンジンボード１０は、図示しないスキャナエンジンなどの画像データ取得部と接続されている。
【００２６】
エンジンボード１０は、側面にＣＥＭ（Ｃａｒｄ  Ｅｌｅｃｔｒｏｍｅｃｈａｎｉｃａｌ）仕様のエッジ部５０ａを備えており、エンジンボード１０のエッジ部５０ａと、中継ボード２０のコネクタ部６０ａとが電気的に接続されることにより、中継ボード２０を介した画像データなどのデータ転送が可能となる。
【００２７】
エンジンボード１０は、コンフィグレーション空間を有するＰＣＩ−Ｅｘｐｒｅｓｓエンドポイントとして機能し、該コンフィグレーション空間には、各デバイスごとに固有の領域が設けられ、デバイスごとに固有のベースアドレス情報が格納されている。
【００２８】
このベースアドレス情報は、画像形成装置１００内のデバイス固有の識別情報や、そのデバイスの属するクラス（属性情報）から構成される。そして、該ベースアドレス情報を参照することでエンジンボード１０は、各デバイスが環境内に存在するかの確認や、データ送信先となるデバイスのアドレスを取得することが可能になる。
【００２９】
中継ボード２０は、画像形成装置１００内で筐体底面に対して垂直方向に立設されて固定され、他の制御基板と接続するため、ＣＥＭ仕様されたコネクタ部６０ａ、６０ｂを両側面上に備えており、画像形成装置１００の側面側から案内された制御基板と対向して接続する。
【００３０】
このとき、コネクタ部６０ａと、エンジンボード１０の端面に配置されたエッジ部５０ａとが電気的に接続され、コネクタ部６０ｂと、コントローラボード３０の端面に配置されたエッジ部５０ｂとが電気的に接続される。
【００３１】
また、中継ボード２０には電源部４０が接続され、電力の供給を受け付ける。そして、中継ボード２０は、接続されたエンジンボード１０、およびコントローラボード３０に対して供給された電力を分配する。
【００３２】
なお、制御基板側（エンジンボード１０側、またはコントローラボード３０側）から電源を供給する構成では、端子が剥き出しの状態で接続されるため、接触ショートなどの危険があった。そこで、本実施の形態のように中継ボード２０を介して電源部４０から電力の供給を受けるように構成することで、接触ショートなどの危険を回避することができ、安全な構成とすることができる。
【００３３】
コントローラボード３０は、画像形成装置１００の側面側にある外部スロット１０６からユーザによって挿入されることにより、中継ボード２０と電気的に接続される。コントローラボード３０は、側面にＣＥＭ仕様のエッジ部５０ｂを備えており、コントローラボード３０のエッジ部５０ｂと、中継ボード２０のコネクタ部６０ｂとが電気的に接続される。これにより、中継ボード２０が筐体底面に対して垂直方向に固定され、この中継ボード２０に対向して、外部スロット１０６、１０７から筐体内部へエンジンボード１０、およびコントローラボード３０が案内され、エンジンボード１０とコントローラボード３０とは、筐体の内部で互いに対向して平行な状態で接続される。
【００３４】
コントローラボード３０は、所定の機能を拡張するプログラムを備えたアドインカードとして機能し、中継ボード２０との接続後、図示しないＣＰＵやメモリなどに機能拡張プログラムが転送される。
【００３５】
なお、エンジンボード１０、およびコントローラボード３０は、外部スロット１０６、１０７やガイドレール（不図示）によって筐体内部にそれぞれ案内され、互いに対向して水平で振れのない安定な位置で固定されている。
【００３６】
また、外部スロット１０６、１０７は、画像形成装置１００の筐体側面側（画像形成装置１００の底面と垂直な面）に筐体の底面と垂直な方向に設けられ、この外部スロット１０６、１０７から、コントローラボード３０、エンジンボード１０がユーザによって挿入されることによって、各制御基板の接続を受け付ける。
【００３７】
本実施の形態では、１の外部スロット１０６には、１の制御基板が挿入され、外部スロットを２箇所としたが、２箇所に限定されることなく、複数箇所に外部スロットを設置して各制御基板の接続を受け付けることができる。
【００３８】
このように、第１の実施の形態では、複数の制御基板がＰＣＩ−Ｅｘｐｒｅｓｓバスを介して接続可能な画像形成装置１００において、中継ボード２０が筐体底面に対して垂直方向に固定され、この中継ボード２０に対向して、外部スロット１０６から筐体内部へエンジンボード１０、およびコントローラボード３０が案内され、前記筐体の内部で互いに対向して平行な状態で接続されるので、制御基板の垂直実装を回避することができる。そして結果的に、画像形成装置１００内部の制御基板のスペースを円滑に確保することができ、定着ローラからの熱による影響などを回避することができる。また、各制御基板の接続後、互いに制御基板同士でＰＣＩ−Ｅｘｐｒｅｓｓバスを介した画像データの伝送ができ、画像形成装置１００は該画像データを被記録媒体上に形成することができる。また、本実施の形態では、コントローラボード３０エンジンボード１０とが、中継ボード２０を介して平行に接続されているので、制御基板側（カードエッジ側）から電源供給されると、端子が剥き出しで接触ショート等、安全性の懸念がある場合に、コントローラボード３０におけるトラブルを低減させることができ、安全性が向上する。
【００３９】
（第２の実施の形態）
図４は、第２の実施形態における画像形成装置内の制御基板の状態を示した図である。なお、以下に説明する各実施形態の説明では、第１の実施形態と同様の部分については同一の符号を付し、異なる部分については、異なる符号を付す。そして、同一部分については、適宜その説明を省略することとする。
【００４０】
エンジンボード１０は、上端面に汎用のオス型コネクタ７０ａを備えている。そして、該汎用のオス型コネクタ７０ａと、中継ボード２０の側面に設置された汎用のメス型コネクタ８０ａとが電気的に接続される。
【００４１】
中継ボード２０は、画像形成装置１００内で筐体底面に対して垂直方向に立設されて固定され、両側面上に汎用のメス型コネクタ８０ａ、８０ｂを備え、筐体の側面側から案内された制御基板と接続する。このとき、汎用のメス型コネクタ８０ａと、エンジンボード１０の上面に配置された汎用のオス型コネクタ７０ａとが接続され、汎用のメス型コネクタ８０ｂと、コントローラボード３０の上面に配置された汎用のオス型コネクタ７０ｂとが電気的に接続される。
【００４２】
このように、第２の実施の形態では、第１の実施形態のように、端面にあるエッジ部５０ａ、５０ｂにおいて加工処理を行う必要がないので、汎用の基板接続コネクタを用いることにより、コストダウンを図ることができる。
【００４３】
（第３の実施の形態）
図５は、第３の実施の形態における画像形成装置１００内の制御基板の状態を示した図である。アダプタボード９０は、品質保証に必要なＰＣＩ−Ｅｘｐｒｅｓｓバスにおける波形タイミングの検出器として、超高速シリアル伝送に対応した専用計測器である。そして、アダプタボード９０への電気的な接続がされているか否かの認証（コンプライアンステスト）を行うことができる。
【００４４】
また、アダプタボード９０には、エンジンボード１０、コントローラボード３０、および中継ボード２０を識別可能な認証情報が予め保持されており、該アダプタボード９０にエンジンボード１０、コントローラボード３０、または中継ボード２０が接続された際、接続先から認証情報を取得し、該取得した認証情報が一致するか否かを判別することによって、接続された装置に対して認証処理を行うことも可能である。
【００４５】
アダプタボード９０は、上端面にＣＥＭ仕様のコネクタ部６０ｃ、および汎用のオス型コネクタ７０ｃを備えている。そして、汎用のメス型コネクタ８０ａと、汎用のオス型コネクタ７０ｃとが接続される。
【００４６】
第３の実施の形態では、図５に示したアダプタボード９０、中継ボード２０、およびコントローラボード３０をＰＣＩ−Ｅｘｐｒｅｓｓルートコンプレックスとして機能させることにより、中継ボード２０、および汎用基板接続時に電気的な接続がされているか否かを認証するアダプタボード９０を備えたので、コントローラボード３０側でより適切に品質保証を行うことができる。
【００４７】
（第４の実施の形態）
図６は、第４の実施形態における画像形成装置１００内の制御基板の状態を示した図である。エンジンボード１０は、汎用のオス型コネクタ７０ａを備えている。そして、アダプタボード９０は、上端面に汎用のメス型コネクタ８０ｃ、および端面にＣＥＭ仕様のエッジ部５０ｃを備えている。
【００４８】
そして、第４の実施の形態では、図６に示したアダプタボード９０、およびエンジンボード１０をＰＣＩ−Ｅｘｐｒｅｓｓエンドポイントとして機能させ、中継ボード２０、および汎用基板接続時に電気的な接続がされているか否かを認証するアダプタボード９０を備えたので、エンジンボード１０側でより適切に品質保証を行うことができる。
【００４９】
また、本実施の形態では、コントローラボード３０（アドインカード）のエッジ加工費が高いことに着目し、ＰＣＩ−Ｅｘｐｒｅｓｓ規格の汎用コネクタを用いて、エンジンボード１０とコントローラボード３０を互いに平行な状態で接続しているので、コストアップの要因となる中継ボードが不要となり、製造コストの低減を図ることができる。
【００５０】
（第５の実施の形態）
図７は、第５の実施形態における画像形成装置１００内の制御基板の状態を示した図である。図７に示すように、エンジンボード１０は、上面に電源部４０、および上端面に汎用のメス型コネクタ８０ｄが設置され、該汎用のメス型コネクタ８０ｄと、コントローラボード３０の上面に設置された汎用のオス型コネクタ７０ｂとが接続される。
【００５１】
これにより、第５の実施形態では、汎用のコネクタを用いて、中継ボード２０を使用せずに制御基板のみで構成されるので、製造コストを大幅に低減することができる。
【００５２】
（第６の実施の形態）
図８は、第６の実施形態における画像形成装置内の制御基板の状態を示した図である。図８に示すように、第６の実施の形態では、アダプタボード９０の上端面にＣＥＭ仕様のコネクタ部６０ｃ、および汎用のメス型コネクタ８０ｅを備えており、該汎用のメス型コネクタ８０ｅと、コントローラボード３０の上端面に設置された汎用のオス型コネクタ７０ｂとが接続される。
【００５３】
そして、アダプタボード９０、およびコントローラボード３０をＰＣＩ−Ｅｘｐｒｅｓｓルートコンプレックスとして機能させることができる。
【００５４】
これにより、電気的な接続がされているか否かを認証するアダプタボード９０を備え、汎用のコネクタを用いて、中継ボードを使用せずに制御基板のみで構成されるので、コントローラボード３０側での品質保証が可能となり、かつ、製造コストの低減を図ることができる。
【００５５】
（第７の実施の形態）
図９は、第７の実施形態における画像形成装置内の制御基板の状態を示した図である。図９に示すように、第７の実施形態では、エンジンボード１０の上端面に汎用のメス型コネクタ８０ｄを備えており、該汎用のメス型コネクタ８０ｄと、アダプタボード９０の上端面に設置された汎用のオス型コネクタ７０ｃとが接続される。そして、アダプタボード９０、およびエンジンボード１０をＰＣＩ−Ｅｘｐｒｅｓｓエンドポイントとして機能させることができる。
【００５６】
これにより、電気的な接続がされているか否かを認証するアダプタボード９０を備え、汎用のコネクタを用い、中継ボードを使用せずに制御基板のみで構成されるので、エンジンボード１０側での品質保証が可能となり、かつ、製造コストの低減を図ることができる。
【００５７】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００５８】
【図１】第１の実施形態における画像形成装置の正面図である。
【図２】第１の実施形態における画像形成装置の斜視図である。
【図３】第１の実施形態における画像形成装置内の制御基板の状態を示した図である。
【図４】第２の実施形態における画像形成装置内の制御基板の状態を示した図である。
【図５】第３の実施形態における画像形成装置内の制御基板の状態を示した図である。
【図６】第４の実施形態における画像形成装置内の制御基板の状態を示した図である。
【図７】第５の実施形態における画像形成装置内の制御基板の状態を示した図である。
【図８】第６の実施形態における画像形成装置内の制御基板の状態を示した図である。
【図９】第７の実施形態における画像形成装置内の制御基板の状態を示した図である。
【符号の説明】
【００５９】
１０  エンジンボード
２０  中継ボード
３０  コントローラボード
４０  電源部
５０  エッジ部
６０  コネクタ部
７０  汎用のオス型コネクタ
８０  汎用のメス型コネクタ
９０  アダプタボード
１００  画像形成装置
１０１  操作部
１０２  本体部
１０３  給紙部
１０４  排紙部
１０５  主電源部
１０６、１０７  外部スロット
【図１】
2009134265.tif 000003
【図２】
2009134265.tif 000004
【図３】
2009134265.tif 000005
【図４】
2009134265.tif 000006
【図５】
2009134265.tif 000007
【図６】
2009134265.tif 000008
【図７】
2009134265.tif 000009
【図８】
2009134265.tif 000010
【図９】
2009134265.tif 000011